(57)【要約】  びっくり贈答品または同様なアクセサリーのような製品のためのコンテナーの記述がなされており、そのコンテナーは２個の半殻（２、４）を包含し、これらの半殻は収容用壁および口（１０、１２）付きで、コンテナーを閉じるためには口対口で前面でのフィット結合が可能である。２個の半殻（２、４）は２個の半殻と一体のヒンジ手段（２０）により互いに枢着されて、半殻（２）の一つが他方の半殻（４）に対してコンテナーの閉塞位置およびコンテナーの少なくとも部分的開放位置の間でスナップアクションで可動である。
2007537941.tif 000002
【特許請求の範囲】
【請求項１】
びっくり贈答品または同様なアクセサリーのような製品のためのコンテナーであって、２個の半殻（２、４）を包含し、半殻は収容壁（２ａ、２ｂ；４ａ、４ｂ）および開放口（１０、１２）付きであり、これらの口は前部で互いにフィットさせることにより口対口で接合させることができて閉じたコンテナーを形成するものにおいて、上記の２個の半殻（２、４）は主ヒンジ軸（ａ−ａ）に沿い、２個の半殻と一体のスナップアクションヒンジ手段により互いに枢着され、従って半殻（２）の一つが他の半殻（４）に対してコンテナーの閉塞位置およびコンテナーの少なくとも部分的開放位置の間で可動であることを特徴としている、コンテナー。
【請求項２】
上記一体ヒンジ手段（２０）が少なくとも一つの中間要素（２０）を包含し、この中間要素は第１フイルムヒンジ（２４）により一方の半殻（４）の側壁に連結されかつ第２フイルムヒンジ（２６）により他方の半殻（２）の側壁に連結され、上記第１（２４）および第２（２６）フイルムヒンジが互いに相手から分岐しかつ２個の半殻の間の主ヒンジ軸（ａ−ａ）に対し傾斜して延びていることを特徴とする、請求項１に記載のコンテナー。
【請求項３】
上記一体ヒンジ手段（２０）がフイルムヒンジ（２４ａ、２６ａ）の第２の対を包含し、これらのフイルムヒンジはそれぞれ一方（４）および他方（２）の半殻に連結されかつ第２の中間要素（２２ａ）により互いに連結されていることを特徴とする、請求項２に記載のコンテナー。
【請求項４】
上記一体ヒンジ手段（２０）が更にフイルムヒンジ要素（２８）を包含し、この要素は主ヒンジ軸（ａ−ａ）と平行に延び連結要素（３０、３０ａ）の手段により２個の半殻に対して連結されていることを特徴とする、請求項１または２に記載のコンテナー。
【請求項５】
上記第１対（２４、２６）および上記第２対（２４ａ、２６ａ）のフイルムヒンジは互いに収束しかつ上記主ヒンジ軸（ａ−ａ）上の点で実質的に交差することを特徴とする、請求項３に記載のコンテナー。
【請求項６】
上記中間要素（２２、２２ａ）は実質的に引っ張り弾性を備えていない要素であることを特徴とする、請求項１ないし５の何れかに記載のコンテナー。
【請求項７】
上記中間要素（２２、２２ａ）は上記フイルムヒンジ（２４、２６；２４ａ、２６ａ）の引っ張り弾性より低い引っ張り弾性を備えていることを特徴とする、請求項５に記載のコンテナー。
【請求項８】
上記一体ヒンジ手段（２０）が可撓性フイルムヒンジ要素（４４）を包含し、この要素が一方および他方の半殻の側壁（２ｂ、４ｂ）に対して湾曲セグメント（４４、４８）に沿い連結されかつその長手方向端部にリブの形の弾性可撓性要素（５０、５２）を備えていることを特徴とする、請求項１に記載のコンテナー。
【請求項９】
上記フイルムヒンジ要素（４４）が半殻（２）に対してその口外形（１０）の処で連結され、かつ上記半殻（２）がその側壁上に弱化線（５４、５６）を備え、これらの弱化線が破壊可能であり、口外形（１０）から上記半殻の側壁（２ｂ）の予め定められた長さだけ延びていることを特徴とする、請求項８に記載のコンテナー。
【請求項１０】
上記弱化線（５４、５６）は可撓性を有するフラップを形成するように切断され、このフラップは上記半殻の上記側壁（２ｂ）をフイルムヒンジ要素（４４）に連結していることを特徴とする、請求項８に記載のコンテナー。
【請求項１１】
上記半殻（４）の一つが他方の半殻の側壁部分（２ｂ）内へフィットするように挿入可能とされていることを特徴とする、前記請求項の何れかに記載のコンテナー。
【請求項１２】
一方の半殻の上記側壁または首部分（１４）および他方の半殻の上記側壁部分（２ｂ）を互いに積極的にフィットさせるための手段（１６、１８）を備えていることを特徴とする、請求項１１に記載のコンテナー。
【請求項１３】
上記一体ヒンジ手段が上記半殻（２）の一方にその口外形（１０）の処または同一面で連結されており、他方の半殻（４）の側壁（４ｂ）には上記首部分（１４）の下側で連結されていることを特徴とする、請求項１１または１２に記載のコンテナー。
【請求項１４】
蓋として作用している上記半殻（２）の一方の上記壁部分またはスカート部分（２ｂ）の少なくとも一つが湾曲中に可撓性を備えまたは弾性的であることを特徴とする、前記請求項の何れかに記載のコンテナー。
【請求項１５】
上記半殻（２）の上記スカート部分（２ｂ）が他方の半殻（４）の側壁（１４、４ｂ）の少なくとも一つの角度領域（α）のスカート部分に関してより大きい可撓性または弾性を備えていることを特徴とする、請求項１４に記載のコンテナー。
【請求項１６】
上記半殻（４）の一つが首部分（１４）を備えており、この首部分が他方の半殻（２）の環状壁部分（２ｂ）内にフィットするように挿入可能でありかつ上記首部分の少なくとも一つの角度領域（α）が他方の半殻（２）のスカート部分（２ｂ）の壁厚さに関してより大きい壁厚さを備えていることを特徴とする、前
記請求項の何れかに記載のコンテナー。
【請求項１７】
首（１４）を備えている上記半殻（４）が上記首の近傍に上記測壁部分（４ｂ）の少なくとも一つを備えており、上記側壁部分が他方の半殻（２）の壁厚さ（２ｂ）に関してより大きい壁厚さを備えており、その場所が一体ヒンジ手段（２０）に関して反対側上に配置されている少なくとも一つの角度領域（α）内であることを特徴とする、請求項１５に記載のコンテナー。
【請求項１８】
主ヒンジ軸（ａ−ａ）と直交する垂直面（ｂ−ｂ）に沿う断面において、湾曲子午線形状（３４、３８、３６、４０）を備えていることを特徴とする、前記請求項の何れかに記載のコンテナー。
【請求項１９】
蓋として作用する上記半殻（２）の一つが垂直断面で湾曲形状を有するスカート部分（２ｂ）を備え、上記首（１４）を備えている上記半殻（４）の他方が首部分（１４）内に他方の半殻の上記湾曲形状に実質的に対応する湾曲形状を備えていることを特徴とする、請求項１８に記載のコンテナー。
【請求項２０】
湾曲垂直形状を有する上記スカート部分（２ｂ）および上記首部分（１４）がヒンジ手段（２０）に関して反対側上に１８０°より少ない角度領域だけ延びていることを特徴とする、請求項１９に記載のコンテナー。
【請求項２１】
上記半殻（２、４）が弾性変形可能な可撓性を有する壁を備えていて、半殻（２、４）の少なくとも一つの側壁に対して加えられ、コンテナー閉塞状態でそれに弾性的な潰し変形をもたらし得る半径方向圧縮力がコンテナーのスナップ開放を起こさせ得ることを特徴とする、前記請求項の何れかに記載のコンテナー。
【請求項２２】
食品でできた包み、特にチョコレート卵包みを内部に収容し、贈答品（Ｒ）またはびっくり物品を封入した、前記請求項の何れかに記載のコンテナー。
【発明の詳細な説明】
【技術分野】
【０００１】
本発明は、特にびっくり贈答品および同様な物品またはアクセサリーのような製品のための小さいコンテナーに関し、例えば、小さいおもちゃまたは菓子製品のような贈答品を内部に挿入するのに使用され、およびチョコレート卵のような食べられる材料のための中空ボデーまたは食べ得る材料を包含している包みのための空間を導入するためのコンテナーに関する。
【背景技術】
【０００２】
特に本発明はＷＯ−Ａ９３／００２６７またはＥＰ−Ａ−１  ３０８  ３９２内に記載されているタイプのコンテナーに関し、それらは収容用壁および開放口を有して口対口で結合可能とされている２個の半殻を包含し、従って前部が互いにフィットして閉塞されたコンテナーを形成し、このコンテナーはその中に収容されている贈答品を取り出すために消費者により開放され得るように構成されている。
【発明の開示】
【発明が解決しようとする課題】
【０００３】
本発明の一つの目的は上記タイプの新しいコンテナーを供給し、そのコンテナーは消費者による使用のための改良された特性を備え、特により大きいコンパクトさおよび取扱いの容易さを備え、かつまた開閉がより容易にされている。
【０００４】
本発明の別の目的は一つのコンテナーを供給し、その中でそれぞれが底部および蓋を構成している２個の半殻が容易には分離しないように互いに連結されている。
【０００５】
本発明の更なる目的は経済的視点から有利に製造され得るコンテナーを供給することである。
【課題を解決するための手段】
【０００６】
これらの目的に鑑み、本発明の主題は別に記述される請求の範囲内に限定されているようなコンテナーである。
【０００７】
請求の範囲内に限定されている本発明の別の主題は、例えばチョコレート卵の形の包みのような食品で作られている包みであり、チョコレート卵は上述の本発明の第１主題による贈答品またはびっくり品を包み込んだコンテナー内に収容されている。
【０００８】
本発明の他の特徴および利点は添付図面に関連して提供されている以下の詳細な記述から明確にされるが、これらは純粋に非限定的な例示である。
【発明を実施するための最良の形態】
【０００９】
図面に関連して、全体として数１により表示されている、本発明による一体型コンテナーは、第１および第２半殻２、４を包含しており、これらは概ねプラスチック材料で注入成型または熱成型されている。
【００１０】
図示されている実施例において、２個の半殻２、４のそれぞれは保持用壁付きの概ねカップ状輪郭を備えており、頂部２ａおよび４ａで適宜平坦状とされたカップ形端部およびスカート部分２ｂおよび４ｂを包含している。
【００１１】
カップ形部分およびスカート部分の間の区分は図６の断面図内では線６および８により明示されているが、これは完全に想像上の区分であり、保持用壁の内面または外面で、例えば垂直断面で湾曲形の異なる湾曲を有する部分と実質的に直線形または僅かな湾曲を有する部分の間の遷移の点または領域を多分有るとしてまたは必然的ではなく表示している。
【００１２】
上述の区分の選択的な性質を考慮に入れると、スカートまたはスカート部分で導かれる部分はそれぞれの半殻の口に近接した壁部分の環状側部を表示するために使用され得る。
【００１３】
図示の実施例においては、２個の半殻はそれぞれ口１０および１２を備え、この口は円形またはより詳細には後述するように実質的に円形外形のものである。
【００１４】
しかしながら、本発明の構造的原理は異なる口外形を有する半殻にも適用可能であり、その外形は例えば楕円形、卵形、多角形または直線混合形であり得る。
【００１５】
２個の半殻は口と口とで連結されることができ、従って両前部は互いにフィットする。特に、一つの半殻４は首１４を備えており、この首は他の半殻２（スカート部分２ｂ）の側壁の部分内に挿入されまたはフィットされ、２個の半殻が相手から容易に引き出されることを充分に阻止するように干渉フィットし得るように構成されている。
【００１６】
２個の半殻の間の強固な連結を促進するために、積極的なまたはスナップフィテイングのための手段が提供されることができ、その手段は例えば首１４内の環状リブ１６を包含し、このリブは好ましくは３６０°（図１１）より少ない角度的または円周上の延長を備えかつこれらは連続的または非連続的であり、かつ補完的環状溝１８（図６）と噛み合い、この溝は他方の半殻２の内面上に作られ、その領域は２個の半殻が重ね合わされる領域である。
【００１７】
互いにフィッテイングさせるための他の手段も使用されることができるが、それらは強固な連結を達成するには好適であるがユーザーによって容易に分解できないものであっても良い。
【００１８】
２個の半殻２および４は互いにヒンジ手段により連結されており、この手段は好ましくはスナップアクションタイプであり、２個の半殻と一体でありかつ全体として数字２０により表示されている。プラスチック材料の一体のスナップアクションヒンジ手段はそれ自体は知られており、特にストッパーに対する閉塞蓋のヒンジのためであって、そのストッパーは例えば瓶または同様な小さいコンテナーの首に対してねじ止めされてフィットされ得るものである。
【００１９】
本発明は特殊なタイプのスナップアクションヒンジ手段の選択に限定されるものと理解されるべきではなく、その記述は従って好ましい実施例に続き、その実施例は２個の半殻のヒンジおよびそれらを前述の前フィッテイング構造で互いに連結することを特に容易にするものである。
【００２０】
図１ないし６内に示されている例においては、スナップアクション一体ヒンジ手段２０は少なくとも１個の中間要素２２を包含しており、この要素は１個の半殻４の側壁に第１フイルムヒンジ２４の手段により連結されかつ他方の半殻２の側壁に第２フイルムヒンジ２６の手段により連結され、ここでフイルムヒンジ２４および２６は相手から分岐し図３内にａ−ａにより示されている主ヒンジ軸に対して傾斜状に延び、それらは軸に対して収束している。
【００２１】
フイルムヒンジ２４、２６が中間要素２２の壁厚さに比べてより小さい壁厚さを備えかつ直線状または湾曲状の線に従っていることは理解されるべきである。
【００２２】
上記フイルムヒンジ２４、２６は外側へ分岐しかつ主ヒンジ軸ａ−ａ側へ収束しかつ合致し、またはそれらの伸長部が主ヒンジ軸上の点で合致する。
【００２３】
好ましくは、一体スナップアクションヒンジは２対のフイルムヒンジを包含しており、即ち上述の第１対２４、２６、および第２中間要素２２ａに連結されている第２対２４ａ、２６ａを包含している。
【００２４】
好ましくは、更なるフイルムヒンジ要素２８が設けられ、この要素は主ヒンジ軸ａ−ａと平行に延びかつ連結要素３０および３０ａの手段により２個の半殻に連結されている。
【００２５】
フイルムヒンジ要素２８の長手方向伸長部は大幅に変更しかつ特にフイルムヒンジ２４、２６および２４ａ、２６ａの交差点と一致または実質的に一致する点へ低減される。
【００２６】
このようにして、例えば、上述のフイルムヒンジは全体として、ヒンジ要素２８が点に低減された時２個の対向するＶ形を備え、またはダブルＹ形（脚部が一致した２個の対向Ｙ形）を備え、ヒンジ２４、２６、２４ａおよび２６ａが従う線は必ずしも直線ではなく、むしろ湾曲していることも理解されるであろう。
【００２７】
連結要素３０は半殻４に対して首１４のエッジ３２と隣接しまたは実質的に同一面で連結され、連結要素３０ａは半殻２に対して上記半殻の口輪郭と実質的に近接しまたは同一面で連結される。
【００２８】
閉塞状態のコンテナーで、中間要素２２および２２ａは半殻の壁に対接する。この閉塞状態では、比較的に弾性的なフイルムヒンジ２４、２６および２４ａ、２６ａは張力を受けかつ順番に張力を中間要素２２および２２ａを及ぼし、これらの中間要素は反対に張力には弾性的ではなくまたは僅かに弾性的であるだけであり、かつ何れの場合にもフイルムヒンジに比べるとより低い値である。
【００２９】
これらの特性のために、例えば、蓋として機能する上部半殻２に対して張力を掛けることによるコンテナーの開放は、半殻２を約１８０°だけ回動させて機敏な開放をもたらす。
【００３０】
図７ないし１１の実施例においては、一体のスナップアクションヒンジ手段２０はフイルムヒンジ要素４４を包含しており、この要素は蓋として機能する上部半殻２に対して湾曲セグメント４６に沿いその口外形１０の処で接続され、かつ下部半殻４に対しては首１４の直下で湾曲セグメント４８に沿い接続されており、フイルムヒンジ要素４４の長手方向端部（それは円周方向端部）でそこにはリブ５０、５２の形の弾性的要素があり、これらのリブは外方へ突出しかつフイルムヒンジ要素４４に比べてより大きい厚さを備えている。
【００３１】
この実施例においては、好ましくは半殻２の側壁はそのスカート部分２ｂ内に弱化部５４、５６の線を備え、これらは好ましくは互いに平行であり、口外形１０から垂直に半殻の側壁２ｂの長さの側に延びておりかつそれぞれはフイルムヒンジ要素４４の円周方向端部の近傍に、即ちリブ要素５０および５２の直近に配置されている。
【００３２】
上部半殻２が約１８０°反転されてコンテナーが開放状態にある時、ヒンジ要素４４およびリブ要素５０、５２は実質的に一平面内を占める。
【００３３】
コンテナーが閉塞位置にある時には、リブ要素５０および５２はＣ形に湾曲することにより弾性的に変形させられる。
【００３４】
コンテナーは上向き張力を上部半殻２に対して加え、かつまたコンテナーの側壁に対して圧縮または半径方向押圧力を加えることにより開放され、従って、コンテナーの壁の可撓性のせいで、壁の弾性的な変形が起こされ、これは順番に首部分１４およびスカート部分２ｂ（図１１）内にある積極的取付け手段１６、１８の解放をもたらす。
【００３５】
この解放に引き続き、リブ要素５０および５２の延びの弾性的復元が半殻２のスナップ開放をもたらし、約９０°だけ反転する。
【００３６】
弱化部５４、５６の線は危険を避けまたは低減する機能を実質的に備えており、この危険はコンテナーを開閉するために多分繰り返し加えられる負荷がヒンジ手段の破損とその後に起こる２個の半殻の好ましくない分離を起こし得ることである。
【００３７】
コンテナーの開放および／または閉塞の際に最初に弱化部５４、５６の一方または双方の損傷を起こすのは半殻２の壁上に加えられる負荷（張力、圧縮または捩り）のせいである。これが生じた時、上部半殻２はヒンジ手段４４、５０および５２の手段により下部半殻４に対してヒンジされた状態で残り、上記ヒンジ手段は弱化部の切断線の間に構成されているフラップ（図１１）の形で側壁５８の領域に対して連結される。
【００３８】
半殻２の側壁の可撓性のせいで高い可撓性を有するフラップ領域５８は、２個の半殻の間のヒンジアームの伸長部として機能する。弱化部（図１０内に示されている）の線の破損の結果として起こるコンテナーの開放状態においては、上部半殻２もフラップ５８の手段により半殻４に対してヒンジされかつ更なる水平ヒンジ軸ｃ−ｃ（図７）周りに枢動可能であり、実質的にフラップ５８およびヒンジ要素４４の間の接続用セグメント６０と一致する。
【００３９】
弱化部５４、５６の線の破損はコンテナーの利便性を損なうことはなく、コンテナーは閉塞状態においてその収納機能を保持する。
【００４０】
図１２の実施例は図７の実施例と実質的に相違しており、その理由は一体のヒンジ手段２０が連結要素４４ａを包含しており、この連結要素は半殻２が約１８０°反転してコンテナーが開放状態であっても、実質的にフラットではなく湾曲（Ｃ形横断面）している。
【００４１】
前述の実施例において、半殻２のスカート部分２ｂまたは少なくともヒンジ手段に近接したまたは上方の湾曲領域で可撓性を備えまたは曲げ弾性を有することが好ましい。
【００４２】
好ましくは、首１４の環状壁はまた可撓性を有するかまたは曲げに対して弾性を備えているが、ヒンジ手段２０と反対側に配置されている首１４の環状壁の湾曲領域のためにはヒンジ手段近傍または上方の環状首領域に比べて湾曲または弾性変形の面でより剛直でありかつまた半殻２のスカート部分２ｂに比べてもより剛直であることが好ましい。
【００４３】
これらの特徴は首１４の環状壁の少なくとも一つの環状領域α、およびスカート部分４ｂの好適な近傍が、ヒンジ手段上方の首の領域の壁厚さに比べてより大きい厚さを備えかつまた半殻２のスカート部分２ｂの壁厚さに比べて大きいとの条件を確保することにより得られる。
【００４４】
この解決は図６内および図３および８内に描写されかつ見ることができる。
【００４５】
壁の厚さは必ずしも首１４の全角度範囲かつ好適なスカート部分４ｂに適用されなくとも良いが、好ましくは３６０°より少ない角度により延びている角度領域、例えば１８０°に等しいかまたはそれより少ない範囲で、図３および８内にαで表示されたようなヒンジ手段２０に対して反対側上に限定される。
【００４６】
図内に示されている好ましい実施例においては、コンテナーをより容易にスナップ開放および閉塞できるようにするため、半殻２のスカート部分２ｂの内面は、垂直断面で湾曲形３４（図６）を備え、かつ対応して、首１４の外面３６は補足的な湾曲形状を備えている。
【００４７】
特に、図１および６内に見得るように、コンテナーは軸ｂ−ｂ（図４）を通りヒンジ軸ａ−ａと直交する垂直面に沿う断面内で、ヒンジ手段２０に対して反対側の領域内に、湾曲したまたは凸状の子午線形を備えている。
【００４８】
このことから好ましい実施例においては、スカート部分２ｂの内面３４および外面３８の双方が少なくともヒンジ手段２０に対して反対側上の領域内に湾曲を有することが好ましくなる。
【００４９】
相応して、半殻４の首１４の外面３６およびスカート部分４ｂの外面４０はヒンジ手段に対する反対側上の上述の領域内に湾曲の曲率を備えている。
【００５０】
しかしながら、首１４およびスカート部分４ｂの内面４２は実質的に筒状面であり得る。
【００５１】
コンテナー１内には一般的に符号Ｒで表示されている贈答品が配置されている。贈答品が配置された後、コンテナーはスカート２ｂを首１４に重ね合わせリブ１６を補足溝１８と積極的に噛み合わせることによりスナップ閉塞される。
【００５２】
コンテナーは張力を半殻２に加え、または側壁４ｂに圧縮力または押圧力を加えてリブ１６と溝１８の解放の結果としてヒンジ手段２０をスナップ開放させる。
【００５３】
前述の特徴により、本発明によるコンテナーはよりコンパクトでありかつ取り扱い容易であり、かつユーザーによりより容易に取り扱いかつ操作可能である。
【００５４】
本発明の原理を同様に残して、実施例および構造の詳細は記述されかつ描写されたものから、後述する請求の範囲から離れることなく広く変更可能である。
【００５５】
このように、他のスナップアクションヒンジ手段で前述の物とは異なるが前述の物と同じ機能を達成する物は好適に使用され得ることは理解されるべきである。
【００５６】
このようにして一つの可能性としては２個または３個以上の分離されたまたは互いに一定の角度間隔の一体型ヒンジ手段も備え得る。
【００５７】
同様に、コンテナーは実質的に円形断面を有する概ね筒状構造の物として記述されているが、２個の半殻の口および壁形状を変えることにより構造が変更され得ることは理解されるべきであり、例えば概ね卵形構造を含み、卵形の口または円形口付きの２個の半殻に形成され、これらは互いに接合される時、卵形の構造を有するコンテナーを形成する。
【００５８】
更に、本記述内に使用されている半殻と言う用語は双方が収容機能を有する明らかな凹入半殻に限定されるものと理解されるべきではない。実際、本発明の範囲は２個の半殻の少なくとも一方が概ね平坦状であって、実質的に他方の半殻の蓋として機能するものも含むように解釈されるべきである。
【図面の簡単な説明】
【００５９】
【図１】本発明によるコンテナーの前面図である。
【図２】部分開放状態にある図１のコンテナーの前面図である。
【図３】完全に開放状態にある図１内のコンテナーの平面図で２個の半殻の一つが１８０°だけ反転させられている。
【図４】図１内の閉塞状態のコンテナーの平面図である。
【図５】図１内に矢印Ｖにより指示された部分の詳細部分図である。
【図６】開放状態にある図１内のコンテナーの断面図で２個の半殻の一つが９０°だけ反転させられている。
【図７】本発明によるコンテナーの別の実施例の前面図である。
【図８】完全に開放状態にある図７内のコンテナーの平面図で２個の半殻の一つが１８０°だけ反転させられている。
【図９】図８内の線ＩＸ−ＩＸに沿う断面図である。
【図１０】図７内のコンテナーの拡大詳細図である。
【図１１】開放状態にある図７内のコンテナーの前面図で２個の半殻の一つが９０°だけ反転させられている。
【図１２】本発明によるコンテナーの別の実施例の斜視図である。
【図１】
2007537941.tif 000003
【図２】
2007537941.tif 000004
【図３】
2007537941.tif 000005
【図４】
2007537941.tif 000006
【図５】
2007537941.tif 000007
【図６】
2007537941.tif 000008
【図７】
2007537941.tif 000009
【図８】
2007537941.tif 000010
【図９】
2007537941.tif 000011
【図１０】
2007537941.tif 000012
【図１１】
2007537941.tif 000013
【図１２】
2007537941.tif 000014
【国際調査報告】
2007537941.tif 000015
2007537941.tif 000016
2007537941.tif 000017
2007537941.tif 000018